(57)【要約】【課題】複数の回路に接続されることにより共用される共用回路を有する集積回路において、接続される回路の切り替えが起こった場合においてもデータの損失を低減できる集積回路及びこの集積回路を有する電子機器を提供することを目的とする。【解決手段】本発明にかかる集積回路は、複数の他の回路に接続可能な共用回路を備え、共用回路は、接続されている回路のクロックと同一のクロックで動作する。また、本発明にかかる電子機器は、本発明にかかる集積回路と、共用回路に接続する回路を切り替える際に、本発明にかかる集積回路に供給するクロックを一旦停止し、本発明にかかる集積回路が動作するクロックを前記共用回路に新たに接続される回路のクロックに切り替えた後に、本発明にかかる集積回路へのクロックの供給を再開する制御部と、を備える。【選択図】図１
2011100372.tif 000002
【特許請求の範囲】
【請求項１】
複数の他の回路に接続可能な共用回路を備え、
前記共用回路は、接続されている回路のクロックと同一のクロックで動作する、
集積回路。
【請求項２】
請求項１に記載の集積回路と、
前記共用回路に接続する回路を切り替える際に、前記請求項１に記載の集積回路に供給するクロックを一旦停止し、前記請求項１に記載の集積回路が動作するクロックを前記共用回路に新たに接続される回路のクロックに切り替えた後に、前記請求項１に記載の集積回路へのクロックの供給を再開する制御部と、を備える、
電子機器。
【発明の詳細な説明】
【技術分野】
【０００１】
本発明は、集積回路や電子機器に関し、特に共有回路に接続される回路が切り替えられる集積回路や、このような集積回路を備える電子機器に関する。
【背景技術】
【０００２】
特許文献１は、クロック停止要求信号に基づいて、クロック選択部が出力するクロックの内部回路への供給を停止した後、クロック選択信号を生成し、クロック供給再開イベントの発生により、クロック選択部が出力するクロックの内部回路への供給を再開する半導体集積回路装置を開示する。
【先行技術文献】
【特許文献】
【０００３】
【特許文献１】特開２００８−９２０１０号公報
【発明の概要】
【発明が解決しようとする課題】
【０００４】
しかしながら、上記特許文献１に開示されている半導体集積回路において、内部回路は、様々な回路に接続され共用される回路ではない。
【０００５】
本発明は、複数の回路に接続されることにより共用される共用回路を有する集積回路において、接続される回路の切り替えが起こった場合においてもデータの損失を低減できる集積回路を提供することを目的とする。
【０００６】
また、本発明は、複数の回路に接続されることにより共用される共用回路を有する集積回路において、接続される回路の切り替えが起こった場合においてもデータの損失を低減できる集積回路を有した電子機器を提供することを目的とする。
【課題を解決するための手段】
【０００７】
上記課題を解決するために、本発明にかかる集積回路は、複数の他の回路に接続可能な共用回路を備え、共用回路は、接続されている回路のクロックと同一のクロックで動作する。
【０００８】
また、本発明にかかる電子機器は、本発明にかかる集積回路と、共用回路に接続する回路を切り替える際に、本発明にかかる集積回路に供給するクロックを一旦停止し、本発明にかかる集積回路が動作するクロックを前記共用回路に新たに接続される回路のクロックに切り替えた後に、本発明にかかる集積回路へのクロックの供給を再開する制御部と、を備える。
【発明の効果】
【０００９】
本発明によれば、複数の回路に接続されることにより共用される共用回路を有する集積回路において、接続される回路の切り替えが起こった場合においてもデータの損失を低減できる集積回路を提供できる。
【００１０】
また、本発明によれば、複数の回路に接続されることにより共用される共用回路を有する集積回路において、接続される回路の切り替えが起こった場合においてもデータの損失を低減できる集積回路を有した電子機器を提供できる。
【図面の簡単な説明】
【００１１】
【図１】デジタルカメラ１００の構成を示すブロック図
【図２】画像処理部１９０の構成を示すブロック図
【図３】記録モードから再生モードへの切り替え動作を説明するためのフローチャート
【図４】記録モードから齊瀬モードへの切り替え動作の際のクロックを示す模式図
【発明を実施するための形態】
【００１２】
〔１．実施の形態１〕
本発明にかかる電子機器をデジタルビデオカメラに適用した実施の形態１について図面を用いて説明する。
【００１３】
〔１−１．概要〕
本実施の形態にかかるデジタルビデオカメラ１００は、画像処理部１９０を有する。画像処理部１９０において、リサイザ３２０は、記録回路２８０と再生回路２９０とにおいて共用される。リサイザ３２０には、記録回路２８０若しくは再生回路２９０が選択的に接続される。
【００１４】
〔１−２．構成〕
〔１−２−１．電気的構成〕
本実施の形態にかかるデジタルビデオカメラ１００の電気的構成について、図１を用いて説明する。図１は、デジタルビデオカメラ１００の構成を示すブロック図である。デジタルビデオカメラ１００は、ズームレンズ１１０等からなる光学系により形成された被写体像をＣＣＤイメージセンサー１８０で撮像する。ＣＣＤイメージセンサー１８０で生成された画像データは、画像処理部１９０で各種処理が施され、メモリカード２４０に格納される。また、メモリカード２４０に格納された画像データは、液晶モニタ２７０で表示可能である。以下、デジタルビデオカメラ１００の構成を詳細に説明する。
【００１５】
デジタルビデオカメラ１００の光学系は、ズームレンズ１１０、ＯＩＳ１４０、フォーカスレンズ１７０を含む。ズームレンズ１１０は、光学系の光軸に沿って移動することにより、被写体像を拡大又は縮小可能である。また、フォーカスレンズ１７０は、光学系の光軸に沿って移動することにより、被写体像のピントを調整する。
【００１６】
ＯＩＳ１４０は、内部に光軸に垂直な面内で移動可能な補正レンズを有する。ＯＩＳ１４０は、デジタルビデオカメラ１００の振れを相殺する方向に補正レンズを駆動することにより、被写体像の振れを低減する。
【００１７】
ズームモータ１３０は、ズームレンズ１１０を駆動する。ズームモータ１３０は、パルスモータやＤＣモータ、リニアモータ、サーボモータなどで実現してもよい。ズームモータ１３０は、カム機構やボールネジなどの機構を介してズームレンズ１１０を駆動するようにしてもよい。検出器１２０は、ズームレンズ１１０が光軸上でどの位置に存在するのかを検出する。検出器１２０は、ズームレンズ１１０の光軸方向への移動に応じて、ブラシ等のスイッチによりズームレンズの位置に関する信号を出力する。
【００１８】
ＯＩＳアクチュエータ１５０は、ＯＩＳ１４０内の補正レンズを光軸と垂直な面内で駆動する。ＯＩＳアクチュエータ１５０は、平面コイルや超音波モータなどで実現できる。また、検出器１６０は、ＯＩＳ１４０内における補正レンズの移動量を検出する。
【００１９】
ＣＣＤイメージセンサー１８０は、ズームレンズ１１０等からなる光学系で形成された被写体像を撮像して、画像データを生成する。ＣＣＤイメージセンサー１８０は、露光、転送、電子シャッタなどの各種動作を行う。
【００２０】
画像処理部１９０は、ＣＣＤイメージセンサー１８０で生成された画像データに対して各種の処理を施す。画像処理部１９０は、ＣＣＤイメージセンサー１８０で生成された画像データに対して処理を施し、液晶モニタ２７０に表示するための画像データを生成したり、メモリカード２４０に再格納するための画像データを生成したりする。例えば、画像処理部１９０は、ＣＣＤイメージセンサー１８０で生成された画像データに対してガンマ補正やホワイトバランス補正、傷補正などの各種処理を行う。また、画像処理部１９０は、ＣＣＤイメージセンサー１８０で生成された画像データに対して、ＪＰＥＧ規格に準拠した圧縮形式等により画像データを圧縮する。画像処理部１９０は、ＤＳＰやマイコンなどで実現可能である。
【００２１】
コントローラー２１０は、全体を制御する制御手段である。コントローラー２１０は、半導体素子などで実現可能である。コントローラー２１０は、ハードウェアのみで構成してもよいし、ハードウェアとソフトウェアとを組み合わせることにより実現してもよい。コントローラー２１０は、マイコンなどで実現できる。
【００２２】
メモリ２００は、画像処理部１９０及びコントローラー２１０のワークメモリとして機能する。メモリ２００は、例えば、ＤＲＡＭ、強誘電体メモリなどで実現できる。
【００２３】
液晶モニタ２７０は、ＣＣＤイメージセンサー１８０で生成した画像データが示す画像や、メモリカード２４０から読み出した画像データが示す画像を表示可能である。
【００２４】
ジャイロセンサー２２０は、圧電素子等の振動材等で構成される。ジャイロセンサー２２０は、圧電素子等の振動材を一定周波数で振動させコリオリ力による力を電圧に変換して角速度情報を得る。ジャイロセンサー２２０から角速度情報を得、この揺れを相殺する方向にＯＩＳ内の補正レンズを駆動させることにより、デジタルビデオカメラ１００は、使用者による手振れを補正する。
【００２５】
カードスロット２３０は、メモリカード２４０を着脱可能である。カードスロット２３０は、機械的及び電気的にメモリカード２４０と接続可能である。メモリカード２４０は、フラッシュメモリや強誘電体メモリなどを内部に含み、データを格納可能である。
【００２６】
内部メモリ２８０は、フラッシュメモリや強誘電低メモリなどで構成される。内部メモリ２８０は、デジタルビデオカメラ１００全体を制御するための制御プログラム等を格納する。
【００２７】
操作部材２５０は、使用者から画像の撮像指示を受け付ける部材である。ズームレバー２６０は、使用者からズーム倍率の変更指示を受け付ける部材である。
【００２８】
〔１−２−２．画像処理部１９０の構成〕
本実施の形態にかかる画像処理部１９０の内部構成について図２を用いて説明する。図２は、画像処理部１９０の構成を示すブロック図である。
【００２９】
画像処理部１９０は、デジタルビデオカメラ１００の操作者が操作部材２５０を操作することにより、記録モードと再生モードの二つの動作モードに切り替えることができる。画像処理部１９０は、記録モードの際に使用する記録回路２８０と記録回路３３０とを有する。また、画像処理部１９０は、再生モードの際に使用する再生回路２９０と再生回路３４０とを有する。
【００３０】
さらに、画像処理部１９０は、記録モード及び再生モードにおいて共通して使用されるリサイザ３２０を有する。リサイザ３２０は、入力される画像データに対してフィルタ信号処理を行う。例えば、リサイザ３２０は、画像データを表示用画像サイズにリサイズする。また、例えば、リサイザ３２０は、４：２：０形式の画像データを４：２：２形式に変換できる。
【００３１】
〔１−２−３．記録モード時の各構成の機能〕
次に、記録モードで動作する際の画像処理部１９０内の各構成の機能について説明する。
【００３２】
記録回路２８０は、ＣＣＤイメージセンサー１８０で生成された画像データに対して、ガンマ補正や傷補正などの各種信号処理を行う。
【００３３】
記録モードで動作する際、リサイザ３２０は、記録回路２８０で処理された画像データを表示用画像サイズにリサイズする。例えば、ＣＣＤイメージセンサー１８０で撮像された画像データのサイズが「９６０x３２７画素」とする。この場合に、リサイザ３２０は、コントローラー２１０の指示を受け、ＣＣＤイメージセンサー１８０で撮像された画像データに対してリサイズ処理を行う。ここで、リサイズ処理には、画像データに対する切り出し処理と、画像データに対する拡大・縮小処理が含まれる。リサイズ処理を施されると、ＣＣＤイメージセンサー１８０で撮像された画像データは、表示用画像サイズである「７２０x２４０画素」にリサイズされる。
【００３４】
記録モードで動作する際、データセレクタ３００は、記録回路２８０とリサイザ３２０とが接続されるように選択されている。また、記録モードで動作する際、クロックセレクタ３１０は、記録回路２８０に供給されるクロックと、リサイザ３２０に供給されるクロックとが同一クロック（ｃｌｋ＿Ａ）となるように選択されている。
【００３５】
記録回路３３０は、リサイザ３２０でリサイズされた画像データをメモリ２００に格納する。メモリ２００に格納された画像データは、各種処理を施され、液晶モニタ２７０に表示されたり、テレビ等の外部装置に表示されたりする。
【００３６】
記録モードで動作する際、クロックゲート３５０は開いており、記録回路２８０、リサイザ３２０、及び記録回路３３０には同一のクロックが供給される。例えば、記録回路２８０、リサイザ３２０、及び記録回路３３０には、ＣＣＤイメージセンサー１８０の動作クロック（例えば２７ＭＨｚ）と同一のクロックが供給される。これは、記録回路２８０、リサイザ３２０、及び記録回路３３０は、ＣＣＤイメージセンサー１８０により撮像された画像データを同期しながら処理する必要があるからである。一方、記録モードで動作する際、クロックゲート３６０は、閉じられている。従って、再生回路２９０、再生回路３４０にはクロックが供給されない。そのため、再生回路２９０と、再生回路３４０とは動作しない。
【００３７】
〔１−２−４．再生モード時の各構成の機能〕
次に、再生モードで動作する際の画像処理部１９０内の各構成の機能について説明する。
【００３８】
再生モードで動作する際、再生回路２９０は、メモリ２００に格納された画像データを、コントローラー２１０で指示されるタイミングで読み出す。リサイザ３２０は、再生回路２９０で読み出された画像データに対して、４：２：０形式から４：２：２形式への変換処理を行う。
【００３９】
再生モードで動作する際、データセレクタ３００は、再生回路２９０とリサイザ３２０とが接続されるように選択されている。また、再生モードで動作する際、クロックセレクタ３１０は、再生回路２９０に供給されるクロックと、リサイザ３２０に供給されるクロックとが同一クロックとなるように選択されている。
【００４０】
再生回路３４０は、リサイザ３２０で処理された画像データを、テレビ等の外部装置や液晶モニタ２７０に表示させるための処理を行う。
【００４１】
再生モードで動作する際、クロックゲート３６０は開いており、再生回路２９０、リサイザ３２０、及び再生回路３４０には同一のクロック（ｃｌｋ＿Ｂ）が供給される。例えば、再生回路２９０、リサイザ３２０、及び再生回路３４０には、テレビ等の外部装置の出力や液晶モニタ２７０の出力に合わせたクロック周波数が供給されている。例えば、テレビに出力するための標準画質の映像を処理する場合には、１３．５MHzが供給される。一方、再生モードで動作する際、クロックゲート３５０は、閉じられている。従って、記録回路２８０と、記録回路３３０にはクロックが供給されない。そのため、記録回路２８０と、記録回路３３０とは動作しない。
【００４２】
〔１−２−５．本発明との対応〕
リサイザ３２０は、本発明の共用回路の一例である。コントローラー２１０は、本発明の制御部の一例である。
【００４３】
〔１−３．記録モードから再生モードへの切替動作〕
次に、デジタルビデオカメラ１００において、記録モードから再生モードに切り替えた際の、画像処理部１９０の動作について図３、図４を用いて説明する。図３は、記録モードから再生モードに切り替えた際の画像処理部１９０の動作の説明をするためのフローチャートである。図４は、記録モードから再生モードに切り替えた際の画像処理部１９０の動作の説明をするための模式図である。
【００４４】
操作者は、操作部材２５０を操作することでデジタルビデオカメラ１００を記録モードに設定できる（Ｓ１００）。デジタルビデオカメラ１００が記録モードに設定されると、リサイザ３２０は、ＣＣＤイメージセンサー１８０と同一のクロックで動作する（Ｓ１１０）。また、リサイザ３２０は、併せて、記録回路２８０で生成された画像データを表示用画像サイズにリサイズする（S１１０）。リサイザ３２０により画像データが表示用画像サイズにリサイズされると、記録回路３３０は、生成された表示用画像データをメモリ２００に格納する（Ｓ１２０）。
【００４５】
表示用画像データがメモリ２００に格納されると、コントローラー２１０は、デジタルビデオカメラ１００が再生モードに切り替えられたか否かを判断する（Ｓ１３０）。再生モードに切り替えられていない場合には、画像処理部１９０は、ステップＳ１１０〜ステップＳ１２０を繰り返す。
【００４６】
一方、再生モードに切り替えられたと判断すると、コントローラー２１０は、クロックゲート３５０を閉じる（Ｓ１４０）。
【００４７】
クロックゲート３５０を閉じると、コントローラー２１０は、クロックセレクタ３１０を記録モード用のクロック（ｃｌｋ＿Ａ）から再生モード用のクロック（ｃｌｋ＿Ｂ）へと切り替える（Ｓ１５０）。
【００４８】
クロックセレクタ３１０が切り替えられると、コントローラー２１０は、データセレクタ３００の接続先を切り替える（Ｓ１６０）。具体的には、データセレクタの接続先が記録回路２８０から再生回路２９０へと切り替わる。
【００４９】
データセレクタの接続先を切り替えると、コントローラー２１０は、クロックゲート３６０を開く（Ｓ１７０）。
【００５０】
このように本実施の形態にかかるデジタルビデオカメラ１００は、記録モードから再生モードに切り替える際に、画像処理部１９０に供給されるクロックを一旦停止し、画像処理部１９０内のクロックを再生モード用のクロックに切り替えた後に、再生モード用のクロックの供給を再開する。
【００５１】
これにより、記録モードから再生モードへの切り替えが生じた場合においても、リサイザ３２０は、常に接続されている回路のクロックと同一のクロックで動作できる。
【００５２】
このような効果を得られる理由を図４を用いて説明する。図４は、記録モードから再生モードに切り替わる際においても、リサイザ３２０と、接続される回路とが同一のクロックで動作できる理由を説明する模式図である。記録モードの際、リサイザ３２０と、記録回路２８０とには、ｃｌｋ＿Ａが接続されている。従って、リサイザ３２０には、記録回路２８０からｃｌｋ＿Ａに同期したデータが入力される。このように、記録モードから再生モードへの切り替え操作が発生するまでは（Ａ）、リサイザ３２０と記録回路２８０とはｃｌｋ＿Ａに同期して動作する。
【００５３】
記録モードから再生モードへの切り替え操作が発生すると（Ａ）、コントローラー２１０は、リサイザ３２０、記録回路２８０、及び記録回路３３０へ入力されるクロックを一旦停止する（Ｂ）。クロックを一旦停止すると、コントローラー２１０は、クロックセレクタ３１０のクロックを再生モードのクロック（ｃｌｋ＿Ｂ）へ切り替える（Ｂ）。クロックセレクタ３１０のクロックを切り替えると、コントローラー２１０は、データセレクタ３００の接続先を記録回路２８０から再生回路２９０へと切り替える（Ｂ）。
【００５４】
データセレクタ３００の接続先の変更が完了すると、コントローラー２１０は、リサイザ３２０、再生回路２９０、及び再生回路３４０へのクロックの供給を再開する（Ｃ）。
【００５５】
クロックの供給再開後は、リサイザ３２０と、再生回路２９０とには、ｃｌｋ＿Ｂが接続されている。従って、リサイザ３２０には、記録回路２８０からｃｌｋ＿Ｂに同期したデータが入力される。このように、記録モードから再生モードへの切り替え動作が完了した後は（Ｃ）、リサイザ３２０と再生回路２９０とはｃｌｋ＿Ｂに同期して動作する。
【００５６】
なお、ここでは、記録モードから再生モードに切り替える例について説明したが、再生モードから記録モードへ切り替える際も同様の手順で、リサイザ３２０と、記録回路２８０との同期や、リサイザ３２０と、再生回路２９０との同期等をとることができる。
〔２．他の実施の形態〕
以上により、本発明の実施の形態として、実施の形態１を説明した。しかし、本発明は、これらには限定されない。そこで、本発明の他の実施の形態を本欄にまとめて説明する。
【００５７】
本実施の形態にかかるデジタルカメラ１００の光学系及び駆動系は、図１に示すものに限定されない。例えば、図１では３群構成の光学系を例示しているが、他の群構成のレンズ構成としてもよい。また、それぞれのレンズは、１つのレンズで構成してもよく、複数のレンズから構成されるレンズ群として構成してもよい。
【００５８】
また、実施の形態１では、撮像手段として、ＣＣＤイメージセンサー１８０を例示したが、本発明はこれに限定されない。例えば、ＣＭＯＳイメージセンサーで構成してもよく、ＮＭＯＳイメージセンサーで構成してもよい。
【００５９】
また、実施の形態１では、共用回路の例としてリサイザ３２０を挙げたが、必ずしもこれには限定されない。共用回路は、メモリにアクセスする際のインターフェース回路等、複数の回路に接続され、接続された回路間で共用される回路であれば何でもよい。
【００６０】
また、実施の形態１では、リサイザ３２０に接続され、リサイザ３２０を共用する回路として、記録回路２８０と、再生回路２９０との２つを用いた。しかしながら、必ずしもこのような例には限定されない。例えば、リサイザ３２０に３つ以上の回路が接続され、それらの回路により共用されるような場合にも適用できる。
【産業上の利用可能性】
【００６１】
本発明は、デジタルビデオカメラや、デジタルスチルカメラや、ＢＤレコーダー等の電子機器や、これらの電子機器に用いられる集積回路に適用できる。
【符号の説明】
【００６２】
１００    デジタルカメラ
１１０    ズームレンズ
１２０    検出器
１３０    ズームモータ
１４０    ＯＩＳ
１５０    ＯＩＳアクチュエータ
１６０    検出器
１７０    フォーカスレンズ
１８０    ＣＣＤイメージセンサー
１９０    画像処理部
２００    メモリ
２１０    コントローラー
２２０    ジャイロセンサー
２３０    カードスロット
２４０    メモリカード
２５０    操作部材
２６０    ズームレバー
２７０    液晶モニタ
２８０    内部メモリ
【図１】
2011100372.tif 000003
【図２】
2011100372.tif 000004
【図３】
2011100372.tif 000005
【図４】
2011100372.tif 000006